(57)【要約】【課題】  この発明は、座位、仰臥位や側臥位の姿勢を取っている際の呼吸数と心拍数を高精度かつリアルタイムに検出する監視装置を提供する。【解決手段】  この発明は、呼吸及び心臓拍動による圧力変化を検知し、その圧力変化信号を収集し、デジタル信号処理とデータ解析を行う。計測された圧力変化の信号を処理し、データを解析し、呼吸関連の信号成分と心臓拍動関連の信号成分に分離し、呼吸数と心拍数を求める。また、ウェーブレット変換処理手法を用いて呼吸数検出用の信号成分と心拍数検出用の信号成分を構成する。検出データの信頼性を評価するため、信号品質を表す指標としてＳＱＩを用いる。１本、または２本のチューブを折り回し配置した装置を枕の下、小腿部、足部周辺、椅子等、圧力変動が検知できる部位に設置して使用する。【選択図】図２
2007061587.tif 000002
【特許請求の範囲】
【請求項１】
呼吸による圧力変化、及び心臓拍動による圧力変化を検知し、測定できるセンサユニットと、
前記センサユニットを用いて計測された圧力変化信号を収集し、デジタル信号処理とデータ解析を行う処理部と
を備え、ユーザの呼吸と心拍に関する情報を収集する呼吸心拍監視装置。
【請求項２】
前記処理部は、計測された圧力変化の信号を処理し、データを解析し、呼吸関連の信号成分と心臓拍動関連の信号成分に分離し、前者から呼吸数を求め、後者から心拍数を求めるよう構成されている請求項１に記載の呼吸心拍監視装置。
【請求項３】
前記処理部は、計測された圧力変化の信号を用いて、ウェーブレット変換処理手法を用いて、信号を分解するフィルタと再構成するフィルタを設け、呼吸関連の信号成分Ａ６と心臓拍動関連の信号成分Ｄ４＋Ｄ５を分離し、雑音を除去して、呼吸数検出用の信号成分と心拍数検出用の信号成分を構成するよう構成されている請求項２に記載の呼吸心拍監視装置。
【請求項４】
前記処理部は、計測信号に含まれる有用成分の波形パターンとの類似性が一番高いウェーブレット関数を用いて、高精度な結果が得られるように最適な信号分解用フィルタと構成用フィルタが設計されている請求項２に記載の呼吸心拍監視装置。
【請求項５】
前記処理部は、バッチ処理による検出法とリアルタイム処理による検出法を用いて実装できるよう構成された請求項３に記載の呼吸心拍監視装置。
【請求項６】
前記処理部は、検出された呼吸数と心拍数の信頼性を評価するため、信号品質を表す指標としてＳＱＩ（ｓｉｇｎａｌ  ｑｕａｌｉｔｙ  ｉｎｄｅｘ）を用いる。呼吸と心臓拍動による微小の圧力変化が、複数のセンサによって検出される。検出された信号のＳＱＩを求め、ＳＱＩの最も良い信号を選択し、その出力を用いて呼吸数と心拍数を推定するよう構成される。ＳＱＩの悪い信号に対して、呼吸数と心拍数の検出を行わず、ＳＱＩの良い信号を用いて検出された呼吸数と心拍数によって補間されるよう構成された請求項１に記載の呼吸心拍監視装置。
【請求項７】
前記センサユニットは、１本のチューブを配置して圧力検知素子を備える請求項１に記載の呼吸心拍監視装置。
【請求項８】
前記センサユニットは、複数本のチューブを折り返し配列することを特徴とする請求項１に記載の呼吸心拍監視装置。
【請求項９】
チューブの折り返し幅は、被験体の大きさより広いよう構成されている請求項８に記載の呼吸心拍監視装置。
【請求項１０】
複数本のチューブを用いる場合、チューブの配置幅は被験体の大きさより間隔を狭く配置するよう構成されている請求項８に記載の呼吸心拍監視装置。
【請求項１１】
前記センサユニットは、圧力検知素子として、半導体圧力センサを複数配置することを特徴とする請求項１に記載の呼吸心拍監視装置。
【請求項１２】
前記センサユニットは、呼吸と心臓拍動による圧力変動を頭部、小腿部、足部、臀部から検知するため、枕の下、小腿部、足部周辺、椅子およびその他の圧力変動が検知できる部位に設置するよう構成されている請求項１に記載の呼吸心拍監視装置。
【請求項１３】
座位を取っている際に、椅子の背もたれ、椅子の座に設置するよう構成されている請求項１２に記載の呼吸心拍監視装置。
【発明の詳細な説明】
【技術分野】
【０００１】  この発明は、圧力検知素子を用いて検出された呼吸運動と心臓拍動に由来する圧力変化から呼吸数と心拍数を検出する監視装置に関する。
【背景技術】
【０００２】  特許文献１には、ベッド等のような寝具に複数個の振動検知型呼吸センサを敷いて、無拘束に呼吸信号を測定する。この呼吸信号の自己相関係数を求め、ある所定値以上になったら、呼吸信号が確実に計測されていることを判断した後、呼吸周期と呼吸数を解析し、睡眠時に発生する呼吸障害である無呼吸症を的確に判定する。【０００３】  特許文献２には、枕またはその近傍に複数の圧力センサを設置して、生体の呼吸に伴う頭部の動きに対応する圧力変化を検出する。検出された圧力変化の信号を処理して、生体の呼吸状態を間接的に検出することで、生体に負担をかけずに就寝者の呼吸状態の測定を可能にした。【０００４】  特許文献３には、睡眠の快適さを測定するため、枕に圧力センサを埋め込む。この圧力センサから検出された生体信号をＬＰＦ（Ｌｏｗ  Ｐａｓｓ  Ｆｉｌｔｅｒ）（カットオフ周波数＝０．８Ｈｚ）、ＢＰＦ（Ｂａｎｄ  Ｐａｓｓ  Ｆｉｌｔｅｒ）（カットオフ周波数＝０．８Ｈｚ〜１０Ｈｚ）とＨＰＦ（Ｈｉｇｈ  Ｐａｓｓ  Ｆｉｌｔｅｒ）（カットオフ周波数＝１０Ｈｚ）を通過して、それぞれのフィルタの出力から呼吸の信号成分、心臓拍動の信号成分と体動やいびきの信号成分を抽出し、呼吸数、心拍数と体動レベルを算出して、睡眠の深さ、交感神経の活動度と副交感神経の活動度を算出し、睡眠の快適さを判定する。【０００５】
【特許文献１】特開平８−１３１４２１号公報
【特許文献２】特開２００２−１１９４９６号公報
【特許文献３】特開２００４−１１３３２９号公報
【発明の開示】
【発明が解決しようとする課題】
【０００６】  睡眠時呼吸、心拍と体動情報を収集するマット型や枕型の装置は圧力検知素子を用いて、増幅された圧力信号をＬＰＦ、ＢＰＦ、ＨＰＦフィルタに通過させて、呼吸数、心拍数と体動レベルを検出する。しかし、上記のような複数の生体信号はスペクトルに重なり合う部分があるので、伝統的なアナログフィルタやデジタルフィルタ、周波数解析は、効果的に２つの信号を分離することは難しい。また、呼吸と心拍によるそれぞれの圧力変化は計測センサまでの伝達ルートが異なり、時間の遅れが発生するため、瞬時的な混合モデルに適用するＩＣＡ（Ｉｎｄｅｐｅｎｄｅｎｔ  Ｃｏｍｐｏｎｅｎｔ  Ａｎａｌｙｓｉｓ）手法を用いて、呼吸関連成分と心拍関連成分を分離することも期待している良い結果が得られない。【０００７】  この発明は、ウェーブレット変換などのデジタル信号処理手法と特別な圧力センサユニット構造を用いて、座位、仰臥位や側臥位の姿勢を取っている際の呼吸運動と心臓拍動による圧力変化を感度良く計測し、最適な圧力信号を選択し、ビートバイビートの呼吸数と心拍数を高精度かつリアルタイムに推定すると同時に、推定した呼吸数と心拍数の信頼性を提供する。
【課題を解決するための手段】
【０００８】  この発明では、呼吸による圧力変化、及び心臓拍動による圧力変化を検知し、その圧力変化信号を収集し、デジタル信号処理とデータ解析を行う。【０００９】  この発明では、計測された圧力変化の信号を処理し、データを解析し、呼吸関連の信号成分と心臓拍動関連の信号成分に分離し、前者から呼吸数を求め、後者から心拍数を求める。【００１０】  この発明では、計測された圧力変化の信号を用いて、ウェーブレット変換処理手法を用いて、信号を分解するフィルタと再構成するフィルタを設計し、呼吸関連の信号成分Ａ６と心臓拍動関連の信号成分Ｄ４＋Ｄ５を分離し、雑音を除去して、呼吸数検出用の信号成分と心拍数検出用の信号成分を構成する。【００１１】  この発明では、計測信号に含まれる有用成分の波形パターンとの類似性が一番高いウェーブレット関数を用いて、高精度な結果が得られるように最適な信号分解用フィルタと構成用フィルタを設計する。【００１２】  この発明では、バッチ処理による検出法とリアルタイム処理による検出法を用いて実装できる。【００１３】  この発明では、検出された呼吸数と心拍数の信頼性を評価するため、信号品質を表す指標としてＳＱＩを用いる。呼吸と心臓拍動による微小な圧力変化が、複数のセンサによって検出される。検出された信号のＳＱＩを求め、ＳＱＩの最も良い信号を選択し、その出力を用いて呼吸数と心拍数を推定するよう構成される。ＳＱＩの悪い信号に対して、呼吸数と心拍数の検出を行わず、ＳＱＩの良い信号を用いて検出された呼吸数と心拍数によって補間される。【００１４】  この発明では、１本のチューブを配置して圧力検知素子を備える。また、被験体とセンサの位置が一定でないため、２本のチューブを折り回し配列することにより、被験体の位置が固定しなくても常に計測できる状態を維持することを特徴とする。なお、チューブの折り返し幅は、被験体の大きさより広いよう構成される。【００１５】  この発明では、複数本のチューブを用いる場合、チューブの配置幅は被験体の大きさより間隔を狭く配置するよう構成される。【００１６】  この発明では、圧力を検知する素子として、半導体圧力センサを複数配置することを特徴とする。【００１７】  この発明では、呼吸と心臓拍動による圧力変動を頭部、小腿部、足部、臀部から検知するため、枕の下、小腿部、足部周辺、椅子およびその他の圧力変動が検知できる部位に設置する。座位を取っている際に、椅子の背もたれ、椅子の座に設置する。【００１８】  この発明では、微小な圧力検知素子として、圧電素子、ストレインゲージ、キャパシティセンサなどが何れも使用可能である。使用状況に応じて、最適なものを選べば良い。
【発明を実施するための最良の形態】
【００１９】  次に図面を参照して、この発明の実施形態を説明する。【００２０】  この発明の監視装置は、コアとなる部分が特別な構造を持つセンサユニットと、このセンサユニットによって計測された信号を処理する手法である。【００２１】  センサユニットは図１に示してあるように、２枚のアクリル板１の間に２本のチューブ２が平行に配置され、圧力変化を感知する。チューブは非伸縮性のビニール製素材を用いて、中に脱気した水、または低粘度の油などの液体を充填した。チューブの一端に設置された圧力検知素子２１の特定はしないが、感度とＳ／Ｎ性能の良いものを使えば良い。例えば、オムロンの微圧センサＤ８Ｍ−Ａ１が一つの選択肢として考えられる。このようにして、広範囲にわたって圧力のセンシングが可能になる。【００２２】  図２に示してあるように、呼吸・心拍監視装置にセンサユニット２０と電子回路がある。センサユニット２０は２本のチューブとその中の圧力変化を感知する圧力検知素子２１と、圧力検知素子２１からの出力信号をそれぞれ増幅する圧力アンプ３１と、増幅された圧力信号を処理するためのフロセッサ、このプロセッサが実行するコンピュータ・プログラムを格納する第１のメモリ（ＲＯＭ）、およびプロセッサによる処理結果を記憶する第２のメモリ（ＲＡＭ）を備える、監視装置に内蔵するデータ処理装置と、を備える。【００２３】  この発明によると、圧力検知素子によって検出された信号が内蔵の処理装置によって処理される。ユーザの呼吸動作と心臓拍動によるアクリル板に加わった微小な圧力変動が２本のチューブに検知され、圧力検知素子によって電気信号に変換され、Ａ／Ｄ変換回路を経て、デジタル信号処理を施し、ユーザの呼吸数と心拍数をリアルタイムモニタリングすることができる。【００２４】  さらにこの発明の一形態においては、監視装置は、複数の圧力検知素子からの圧力変化信号が、それぞれの信号品質を表す指標ＳＱＩが計算され、ＳＱＩの最も高い圧力検知素子からの出力信号が選択され、その信号を用いて、ユーザの呼吸数と心拍数を解析することによって、最高の信頼性を持つ解析結果を得ることができる。ＳＱＩは計測された圧力変化信号のスペクトルのパターンによって決められる。即ち呼吸関連成分を表す０．１〜０．３Ｈｚの帯域にあるピークＳＰｒと心拍成分を表す０．５〜２．５Ｈｚの帯域にあるピークＳＰｈとの比率として定義されている。ＳＱＩ＝ＳＰｒ／ＳＰｈの値が１に近いほど信号品質が良い。睡眠中に頭が枕から外れる際に、心拍数や呼吸数の計測は不可能となる。また、動きが激しい時も、アーチファクトが多く混入したため、計測値の信頼性が落ちてしまう。このような問題の対策として、ＳＱＩを用いて、計測された信号の信頼性を推定し、呼吸数と心拍数の推定結果の後処理に最適な方法を適用する。【００２５】  この発明の一形態においては、センサユニットは、枕の下に、又は椅子の背もたれや椅子の座に設置することができる。このようにして、ユーザは座位や臥位（仰臥位、側臥位）の何れの姿勢にしても、その呼吸数と心拍数を無拘束にモニタリングすることができる。【００２６】  この発明の一実施例においては、監視装置は、ユーザの携帯電話または携帯端末装置と��信する通信手段を備え、前記プロセッサによる処理の結果、該ユーザに異常が検出されるとき、該通信手段を起動して、データを前記携帯電話または携帯端末装置を介してヘルスケア等のような情報処理センタのコンピュータに送信するよう構成されている。【００２７】  さらに、この発明の一形態では、情報処理センタのコンピュータは、監視装置から送られてくるユーザの呼吸や心拍に関連する情報の受信に応じて、リアルタイムでこのデータを処理してユーザの状況を判定し、睡眠時、無呼吸症状が疑われたら、ユーザに助言メッセージを即時に送信することができる。また、車両（電車、バス、普通乗用車など）の運転席に設置し、運転手の呼吸や心拍をリアルタイムモニタリングすることによって、交通の安全を確保することができる。【００２８】  図３は、この発明の実施例に係るセンサユニットの枕式としての利用形態を示す。ユーザが普段の使用している枕４をセンサユニットの上に置き、ユーザが仰臥位や側臥位にしている際、睡眠時の呼吸動作と心臓拍動による微小な圧力変化が枕を通してアクリル板に伝え、アクリル板の間にある２本のチューブに検知され、信号品質指標ＳＱＩの最も高い圧力検知素子からの出力を用いて、呼吸数と心拍数を検出する。【００２９】  図４は、この発明の実施例に係るセンサユニットの椅子式としての利用形態を示す。【００３０】  図４（１）ではセンサユニット２０は、椅子の背もたれに設置してある様子を示す。センサユニットは硬い椅子の背もたれに密着して固定する。ユーザの背中とセンサユニットの間に低反発スポンジ５を挟む。ユーザの呼吸動作と心臓拍動による微小な圧力変化がスポンジとの接触部よりスポンジを通してアクリル板に伝え、アクリル板の間にある２本のチューブに検知され、信号品質指標ＳＱＩの最も高い圧力検知素子からの出力を用いて、呼吸数と心拍数を検出する。【００３１】  図４（２）ではセンサユニット２０は、椅子の座に設置してある様子を示す。センサユニットは硬い椅子の座に密着して固定する。ユーザの大腿・臀部とセンサユニットの間に低反発スポンジ５を挟む。ユーザの呼吸動作と心臓拍動による微小な圧力変化がスポンジとの接触部よりスポンジを通してアクリル板に伝え、アクリル板の間にある２本のチューブに検知され、信号品質指標ＳＱＩの最も高い圧力検知素子からの出力を用いて、呼吸数と心拍数を検出する。【００３２】  図５は、センサユニット２０にある圧力検知素子から出力された圧力変化信号の２つの波形例を示す。第１チューブからの出力に呼吸リズムが見られるが、心臓拍動と関連リズムの信号成分が見当たらない。また、高周波雑音が混入されている。第２チューブからの出力に呼吸関連リズムと心拍関連リズムとも良く見られる。しかも、混入した高周波雑音が少ない。このように、信号品質の高い圧力検知素子からの出力を用いて、ウェーブレット変換処理を行い、呼吸数と心拍数を推定する。【００３３】  ウェーブレット変換の数学記述は下記の通りである。
2007061587.tif 000003
但し、Ｗｓｘ（ｔ）は変換後の信号を示す。ｘ（τ）は元の信号を示す。Φ（ｔ−τ／ｓ）はウェーブレットの基底関数を示す。【００３４】  上記の連続式ウェーブレット変換を実際の応用時に以下の離散式で行う。【００３５】  圧力検知素子から検知された圧力変動成分はウェーブレット変換の入力信号として、Ｄ１とＡ１成分に分解される。次にＡ１成分はＤ２とＡ２に分解される。類似なプロセスを繰返して、最終的にＤｎとＡｎまで分解する。それから雑音を除去して、再び信号を構成する。再構成したＡｉ（ｉ≦ｎ）の信号成分を用いて呼吸数の検出に使用する。再構成したＤｊ（ｊ≦ｎ）とＤｋ（ｋ≦ｎ，ｋ≠ｊ）の合成成分を用いて心拍数を検出する。【００３６】  信号分解用フィルタｈ０、ｇ０と構成用フィルタｈ１、ｇ１の係数は唯一ではなく、異なる方法によって設計されたフィルタはその係数も処理性能も違う。高精度な結果が得られるように最適なフィルタの係数を試行錯誤で決定する。計測された信号に対して、多数のウェーブレット関数を試み、その中から一番良い結果が出られるような関数を選択し、フィルタの係数を計算する。【００３７】  検出結果のパフォーマンスに影響の大きい要素としては、ウェーブレット関数と計測信号に含まれる有用成分の波形パターンとの類似性である。この類似性が高ければ高いほど、より良い検出パフォーマンスが期待できる。【００３８】  呼吸数を検出するための最適なＡ成分と心拍数を検出するための最適なＤ成分の決定は信号のサンプリング周波数に依存する。つまり、サンプリング周波数によって信号の構成用Ａ成分とＤ成分は異なる。一例として、信号のサンプリング周波数は１００Ｈｚの場合、信号分解・構成用フィルタの係数ｈ０、ｇ０とｈ１、ｇ１は下記の表１のように用いる。【００３９】
【表１】
2007061587.tif 000004
【００４０】Ａ成分の分解に下記の式を用いる。
2007061587.tif 000005
Ｄ成分の分解に下記の式を用いる。
2007061587.tif 000006
但し、Ａ２０ｘ（ｎ）は生計測信号を示す。【００４１】  図６は、Ｄ６とＡ６まで分解した場合のウェーブレット変換処理による圧力信号の分解プロセスを示す。【００４２】  雑音除去はソフト閾値法を用いて、下記の式で計算される。
ｙ＝ｓｇｎ（ｘ）（ｘ・ｓｇｎ（ｘ）−ｔｈ）
Ｄ５の閾値ｔｈ＝０．２５σ（ｘ）、Ｄ４の閾値ｔｈ＝０．７５σ（ｘ）。
但し、ｘは入力信号を示す。σは標準偏差を示す。
雑音を除去してから、信号の再構成を行う。
Ａ成分の構成に下記の式を用いる。【００４３】
2007061587.tif 000007
図７は、圧力信号をバッチ処理するフローチャートを示す。センサユニットからの増幅された圧力信号は量子化された後、デジタル信号処理を行う。２つの圧力検知素子からの生計測信号Ｓ１とＳ２を順次に処理器に取り込み７１、それぞれの信号品質指標ＳＱＩ１とＳＱＩ２を求め７２、その中からＳＱＩの高い信号を選択し７３、解析信号として用いる７４。解析信号にウェーブレット変換を行って７５、Ｄ４とＤ５の雑音を除去した後７６、逆ウェーブレット変換による信号を合成する７７。Ａ６を用いて呼吸関連の信号成分を構成し、呼吸数を求める。Ｄ４とＤ５を用いて心拍関連の信号成分を構成し、心拍数を求める７８。【００４４】  図８は、生計測信号から「心拍成分」と「呼吸成分」をバッチ処理で分解・再構成した結果と、心拍数と呼吸数を検出するための検出特徴点を示す（マーク“●”）。また、検出結果を検証するため、リファレンス信号として指脈波と鼻熱流センサを用いて同時計測した結果も示してある。【００４５】  再構成した心拍成分からピーク検出法（波形の最大値）を用いて心拍数の検出特徴点“●”を求める。再構成した呼吸成分からゼロクロス法（信号の波形とゼロ基線との交差点を検出する手法）を用いて呼吸数の検出特徴点“●”を求める。【００４６】  図９は、リアルタイム処理フローを示す。一例として、サンプリング周波数は１００Ｈｚの場合、信号分解用フィルタの係数ｈ０、ｇ０と構成用フィルタの係数ｈ１、ｇ１は下記の表２の通りである。【００４７】
【表２】
2007061587.tif 000008
【００４８】Ａ成分の分解に下記の式を用いる。
2007061587.tif 000009
Ｄ成分の分解に下記の式を用いる。
2007061587.tif 000010
但し、Ａ２０ｘ（ｎ）は生計測信号を示す。Ｈ（・）はＡ２ｊｘ（ｎ）またはＤ２ｊｘ（ｎ）のＺ変換、Ｈ０（・）はｈ０のＺ変換、Ｇ０（・）はｇ０のＺ変換。【００４９】  雑音除去はソフト閾値法を用いて、下記の式で計算される。
ｙ＝ｓｇｎ（ｘ）（ｘ・ｓｇｎ（ｘ）−ｔｈ）
Ｄ５の閾値ｔｈ＝０．２５σ（ｘ）、Ｄ４の閾値ｔｈ＝０．７５σ（ｘ）。
但し、ｘは入力信号を示す。σは標準偏差を示す。
雑音を除去してから、信号の再構成を行う。
Ａ成分の構成に下記の式を用いる。
2007061587.tif 000011
Ｈ１（・）はｈ１のＺ変換、Ｇ１（・）はｇ１のＺ変換。【００５０】  ウェーブレット変換の理論によると、信号分解用フィルタと構成用フィルタは以下の関係が成立する。
Ｈ１（Ｚ）＝−Ｇ０（−Ｚ）
Ｇ１（Ｚ）＝Ｈ０（−Ｚ）
さらに、リアルタイム処理をより高速に行うため、再構成のフィルタリング処理を行わず、直接にＡ６を呼吸成分として、呼吸数を求める；Ｄ４とＤ５成分それぞれの雑音を除去した後、位相のずれを調整してから、両者の和信号を心拍成分として、心拍数を求める。【００５１】  図１０は、生計測信号から「心拍成分」と「呼吸成分」をリアルタイムに分解・再構成した結果と、心拍数と呼吸数を検出するための検出特徴点を示す（マーク“●”）。【００５２】  図１１は、２本のチューブ１１１を折りまわして構成されたセンサユニットを示す。被験体１１３とセンサの位置が一定でないため、２本のチューブを折りまわし配列することにより、被験体１１３の位置が固定しなくても常に計測できる状態を維持できる。なお、チューブの折り返し幅（同じチューブの最小間隔）Ａは、被験体の大きさＣより広いよう配置されるため、同じチューブは被験体の２箇所と接触することはないよう構成される。一方、異なるチューブの最小間隔Ｂは、被験体の大きさＣより狭いよう配置されるため、被験体は常に複数のチューブを跨って接触し、複数の圧力信号を検知できるよう構成される。チューブの数は限定されるものではない。【００５３】  図１２は、複数（例えば、４×４）の圧力検知素子１２２から構成されたマトリックス型のセンサユニットを示す。圧力検知素子の数は限定されるものではない。圧力検知素子の種類は、圧電素子、ストレインゲージ、キャパシティセンサなどが何れも利用可能である。使用状況に応じて、最適なものを選べば良い。【００５４】  以上に、この発明の詳細を説明したが、上記の記述に例として挙げたフィルタの係数とサンプリング周波数は限定されるものではない。
【図面の簡単な説明】
【００５５】
【図１】センサユニット。
【図２】呼吸・心拍監視装置。
【図３】枕式監視装置。
【図４】（１）椅子（背もたれ）式監視装置。（２）椅子（座）式監視装置。
【図５】２つの圧力検知素子からの出力信号の例。
【図６】ウェーブレット変換による信号の分解プロセスにおける各信号成分。
【図７】バッチ処理フロー。
【図８】バッチ処理による心拍数と呼吸数の検出特徴点とリファレンス信号。
【図９】リアルタイム処理フロー。
【図１０】リアルタイム処理による心拍数と呼吸数の検出。
【図１１】複数のチューブ（例えば、２本）から構成される折りまわし型のセンサユニット。
【図１２】複数の圧力検知素子（例えば、４×４）から構成されるマトリックス型のセンサユニット。
【符号の説明】
【００５６】１、１１２、１２１…アクリル板
２，１１１…チューブ
３…電子回路
４…枕
５…スポンジ
２０…センサユニット
２１，１２２…圧力検知素子
１１３…被験体
【図１】
2007061587.tif 000012
【図２】
2007061587.tif 000013
【図３】
2007061587.tif 000014
【図４】
2007061587.tif 000015
【図５】
2007061587.tif 000016
【図６】
2007061587.tif 000017
【図７】
2007061587.tif 000018
【図８】
2007061587.tif 000019
【図９】
2007061587.tif 000020
【図１０】
2007061587.tif 000021
【図１１】
2007061587.tif 000022
【図１２】
2007061587.tif 000023